(57)【要約】【課題】測定管内の導電性流体が非満水の状態であっても正確に流量を算出する電磁流量計および流量算出方法を提供する。【解決手段】実施形態の電磁流量計は、励磁コイルと、基準電極と、複数の電極と、測定部と、算出部と、を備える。励磁コイルは、水平方向に延在し導電性流体が流れる測定管を挟み対向して設けられる一対のコイルである。基準電極は、励磁コイルにより発生する磁界内かつ測定管内面の下方に設けられる。複数の電極は、基準電極との間隔が夫々異なり、磁界外かつ測定管内面の下方に設けられる。測定部は、各電極について磁界により基準電極との間に印加される電圧を測定する。算出部は、各電極について測定された電圧の電圧比および各電極について測定された電圧に基づく導電性流体の流速に基づいて、測定管を流れる導電性流体の流量を算出する。【選択図】図１
2014009957.tif 000002
【特許請求の範囲】
【請求項１】
水平方向に延在し導電性流体が流れる測定管を挟み対向して設けられる一対の励磁コイルと、
前記励磁コイルにより発生する磁界内かつ前記測定管内面の下方に設けられる基準電極と、
前記基準電極との間隔が夫々異なり、前記磁界外かつ前記測定管内面の下方に設けられる複数の電極と、
前記各電極について前記磁界により前記基準電極との間に印加される電圧を測定する測定部と、
前記各電極について測定された電圧の電圧比および前記各電極について測定された電圧に基づく前記導電性流体の流速を用いて、前記測定管を流れる前記導電性流体の流量を算出する算出部と、
を備えた電磁流量計。
【請求項２】
前記電圧比と、前記測定管内における前記導電性流体の水位または前記導電性流体の断面積の前記測定管内において占める断面積とを対応付けて記憶する記憶部を備え、
前記算出部は、前記記憶部に記憶された前記水位または前記断面積を用いて、前記流量を算出する請求項１に記載の電磁流量計。
【請求項３】
前記複数の電極は、３以上の前記電極を含み、
前記算出部は、前記各電極について測定した電圧のうち組み合わせが異なる電圧の前記電圧比から前記測定管内における前記導電性流体の水位を求め、求めた水位の平均を用いて、前記流量を算出する請求項１または２に記載の電磁流量計。
【請求項４】
水平方向に延在し導電性流体が流れる測定管を挟み対向して設けられる一対の励磁コイルと、前記励磁コイルにより発生する磁界内かつ前記測定管内面の下方に設けられる基準電極と、前記基準電極との間隔が夫々異なり、前記磁界外かつ前記測定管内面の下方に設けられる複数の電極と、を備えた電磁流量計で実行される流量算出方法であって、
測定部が、前記各電極について前記磁界により前記基準電極との間に印加される電圧を測定する工程と、
算出部が、前記各電極について測定された電圧の電圧比および前記各電極について測定された電圧に基づく前記導電性流体の流速を用いて、前記測定管を流れる前記導電性流体の流量を算出する工程と、
を含む流量算出方法。
【発明の詳細な説明】
【技術分野】
【０００１】
本発明の実施形態は、電磁流量計および流量算出方法に関する。
【背景技術】
【０００２】
測定管内を流れる導電性流体の流量を測定する方法としては、励磁コイルによって測定管に発生した磁界に導電性流体が流れた場合にファラデーの電磁誘導の法則により発生する電圧を用いて測定する方法がある。具体的には、ファラデーの電磁誘導の法則により発生する電圧Ｅは、Ｅ＝χ・Ｂ・Ｄ・Ｖにより表わされる。ここで、χは定数であり、Ｂは励磁コイルによって発生した磁界の磁束密度であり、Ｄは測定管の直径であり、Ｖは測定管を流れる導電性流体の流速である。そして、測定管の体積流量Ｑは、Ｑ＝（（π・Ｄ２）／４）・Ｖにより算出される。これにより、体積流量Ｑに比例する電圧Ｅが、Ｅ＝（（４・χ・Ｂ）／（π・Ｄ））・Ｑにより算出される。
【先行技術文献】
【特許文献】
【０００３】
【特許文献１】特開平７−１９０８１９号公報
【発明の概要】
【発明が解決しようとする課題】
【０００４】
しかしながら、上述した流量の測定方法では、測定管を流れる導電性流体が満水状態にあることを前提とし、測定管の断面積および測定管を流れる導電性流体の流速を用いて、測定管の体積流量を算出しているため、測定管を流れる導電性流体が非満水状態である場合、導電性流体の断面積の測定管内において占める断面積が減少するので、体積流量が正確に求められない、という課題がある。
【課題を解決するための手段】
【０００５】
実施形態の電磁流量計は、励磁コイルと、基準電極と、複数の電極と、測定部と、算出部と、を備える。励磁コイルは、水平方向に延在し導電性流体が流れる測定管を挟み対向して設けられる一対のコイルである。基準電極は、励磁コイルにより発生する磁界内かつ測定管内面の下方に設けられる。複数の電極は、基準電極との間隔が夫々異なり、磁界外かつ測定管内面の下方に設けられる。測定部は、各電極について磁界により基準電極との間に印加される電圧を測定する。算出部は、各電極について測定された電圧の電圧比および各電極について測定された電圧に基づく導電性流体の流速に基づいて、測定管を流れる導電性流体の流量を算出する。
【図面の簡単な説明】
【０００６】
【図１】図１は、第１の実施形態にかかる電磁流量計の概略構成を示す図である。
【図２】図２は、第１の実施形態にかかる電磁流量計が備える第１電極対および第２電極対を通過する電流ループを説明するための図である。
【図３】図３は、第１の実施形態にかかる電磁流量計が備える第１電極対を通過する電流ループの模式的な回路図である。
【図４】図４は、第１の実施形態にかかる電磁流量計が備える第２電極対を通過する電流ループの模式的な回路図である。
【図５】図５は、第１の実施形態にかかる電磁流量計が備える第１電極対および第２電極対を通過する電流ループを説明するための図である。
【図６】図６は、第１の実施形態にかかる電磁流量計が備える第１電極対を通過する電流ループの模式的な回路図である。
【図７】図７は、第１の実施形態にかかる電磁流量計が備える第２電極対を通過する電流ループの模式的な回路図である。
【図８】図８は、第１の実施形態にかかる電磁流量計が有する水位ルックアップテーブルの一例を示す図である。
【図９】図９は、第１の実施形態にかかる電磁流量計において測定管を流れる導電性流体が占める断面積を算出する方法を説明するための図である。
【図１０】図１０は、第２の実施形態にかかる電磁流量計の概略構成を示す図である。
【図１１】図１１は、第２の実施形態にかかる電磁流量計が有する水位ルックアップテーブルの一例を示す図である。
【発明を実施するための形態】
【０００７】
（第１の実施形態）
図１は、第１の実施形態にかかる電磁流量計の概略構成を示す図である。図１に示すように、本実施形態にかかる電磁流量計１は、励磁コイル１１、基準電極ｅ０、測定用電極ｅ１〜ｅ２、第１測定回路１２、第２測定回路１３、流量演算回路１４、励磁回路１５、および記憶部１６を備えている。
【０００８】
励磁コイル１１は、水平方向に延在し導電性流体Ｘを流す測定管２を挟み対向して設けられる一対のコイルである。測定管２が満水時（測定管２内が導電性流体Ｘで満たされている状態）における測定管２の水位は、測定管２の内径とする。本実施形態では、励磁コイル１１は、測定管２を、当該測定管２の側部から挟むように対向して設けられる。
【０００９】
励磁回路１５は、励磁コイル１１に電流を供給することにより、測定管２内を流れる導電性流体Ｘに当該測定管２の管軸方向（図１（ａ）中、左右方向）に対して略直交する方向（図１（ａ）中、紙面垂直方向）に磁束密度Ｂの磁界Ｍを発生させる（図１（ｂ）参照）。本実施形態では、励磁回路１５は、予め設定された周期で励磁コイル１１に対して電流を供給して、測定管２内に磁界Ｍを発生させる。そして、測定管２内の磁束密度Ｂの磁界Ｍを導電性流体Ｘが通過すると、誘導起電圧Ｅが発生して、測定管２内に電流ループＬ１，Ｌ２（図２および図５参照）が発生する。
【００１０】
基準電極ｅ０は、励磁コイル１１により発生する磁界Ｍ内かつ測定管２内面の下方に設けられる電極である。本実施形態では、基準電極ｅ０は、測定管２内面において磁界Ｍ中の磁束が通過する位置の直下（測定管２において磁界Ｍ中の磁束が通過する最下部）に、導電性流体Ｘに接触した状態で設けられる。本実施形態では、基準電極ｅ０は、測定管２内面において磁界Ｍ中の磁束が通過する位置の直下に設けられるが、励磁コイル１１により発生する磁界Ｍ内かつ測定管２内面において導電性流体Ｘの水位より低い位置に設けられていれば、これに限定するものではない。例えば、基準電極ｅ０は、磁界Ｍ内かつ測定管２内面において磁界Ｍ中の磁束が通過する最下部近傍に設けられても良い。なお、測定管２内において導電性流体Ｘの水位が下がり得る閾値が予め設定されている場合には、基準電極ｅ０は、励磁コイル１１により発生する磁界Ｍ内かつ測定管２内面において導電性流体Ｘの水位が下がり得る閾値より低い位置に設けられていれば良い。
【００１１】
測定用電極ｅ１，ｅ２は、基準電極ｅ０との間隔が夫々異なり、磁界Ｍ外かつ測定管２内面の下方に設けられる複数の電極である。本実施形態では、測定用電極ｅ１，ｅ２は、測定管２内面において磁界Ｍ中の磁束が通過しない位置の直下（測定管２において磁界Ｍの磁束が通過しない最下部）に、導電性流体Ｘに接触した状態で設けられる。具体的には、測定用電極ｅ１は、基準電極ｅ０から満水時の水位ｈの１／２離れた位置に設けられる。一方、測定用電極ｅ２は、基準電極ｅ０から満水時の水位ｈ離れた位置に設けられる。本実施形態では、測定用電極ｅ１，ｅ２は、測定管２内面において磁界Ｍ中の磁束が通過しない位置の直下に設けられるが、磁界Ｍ外かつ測定管２内面において導電性流体Ｘの水位より低い位置に設けられていれば良い。例えば、測定用電極ｅ１，ｅ２は、測定管２内面において磁界Ｍの磁束が通過しない最下部近傍に設けられても良い。なお、測定管２内において導電性流体Ｘの水位が下がり得る閾値が予め設定されている場合には、測定用電極ｅ１，ｅ２は、励磁コイル１１により発生する磁界Ｍ外かつ測定管２内面において導電性流体Ｘの水位が下がり得る閾値より低い位置に設けられていれば良い。
【００１２】
そして、本実施形態では、基準電極ｅ０と測定用電極ｅ１とを第１電極対Ｅ１とし、基準電極ｅ０と測定用電極ｅ２とを第２電極対Ｅ２とする。これにより、電極間の間隔が異なる電極対として、第１電極対Ｅ１および第２電極対Ｅ２を設ける。
【００１３】
第１測定回路１２は、第１電極対Ｅ１を構成する基準電極ｅ０と測定用電極ｅ１との間に印加される電圧を測定する。第２測定回路１３は、第２電極対Ｅ２を構成する基準電極ｅ０と測定用電極ｅ２との間に印加される電圧を測定する。つまり、本実施形態では、第１測定回路１２および第２測定回路１３は、各測定用電極ｅ１，ｅ２について磁界Ｍにより基準電極ｅ０との間に印加される電圧を測定する測定部として機能する。
【００１４】
ここで、図２〜７を用いて、第１測定回路１２および第２測定回路１３により電圧を測定する原理について説明する。図２および図５は、第１の実施形態にかかる電磁流量計が備える第１電極対および第２電極対を通過する電流ループを説明するための図である。図３および図６は、第１の実施形態にかかる電磁流量計が備える第１電極対を通過する電流ループの模式的な回路図である。図４および図７は、第１の実施形態にかかる電磁流量計が備える第２電極対を通過する電流ループの模式的な回路図である。
【００１５】
まず、図２〜４を用いて、測定管２が満水時に第１電極対Ｅ１および第２電極対Ｅ２の電圧を測定する原理について説明する。測定管２が満水時に流速Ｖで導電性流体Ｘが磁界Ｍを通過すると誘導起電圧Ｅが発生して、測定管２内には、図２に示すように、第１電極対Ｅ１を通過する電流ループＬ１および第２電極対Ｅ２を通過する電流ループＬ２が発生する。ここで、電流ループＬ１，Ｌ２の導電性流体Ｘの抵抗値は電流ループＬ１，Ｌ２の長さに比例するため、満水時の水位ｈの１／２の長さにかかる導電性流体Ｘの抵抗値を抵抗値Ｒとした場合、電流ループＬ１の導電性流体Ｘの抵抗値は６Ｒとみなせ（図３参照）、電流ループＬ２の導電性流体Ｘの抵抗値は８Ｒとみなせる（図４参照）。そして、第１測定回路１２は、誘導起電圧Ｅが電流ループＬ１に発生した場合の第１電極対Ｅ１の電圧（つまり、基準電極ｅ０と測定用電極ｅ１との間の電圧）として、１／６Ｅを測定する。一方、第２測定回路１３は、誘導起電圧Ｅが電流ループＬ２に発生した場合の第２電極対Ｅ２の電圧（つまり、基準電極ｅ０と測定用電極ｅ２との間の電圧）として、１／４Ｅを測定する。よって、測定管２が満水時における第１電極対Ｅ１の電圧（１／６Ｅ）と第２電極対Ｅ２の電圧（１／４Ｅ）との電圧比Ｅ１／Ｅ２は、２／３となる。本実施形態では、基準電極ｅ０および測定用電極ｅ１，ｅ２が測定管２内面の最下部に設けられているため、電流ループＬ１，Ｌ２の導電性流体Ｘの抵抗Ｒｘの抵抗値を抵抗値Ｒとし、電流ループＬ１，Ｌ２の導電性流体Ｘの抵抗値を６Ｒまたは８Ｒとみなしているが、基準電極ｅ０および測定用電極ｅ１，ｅ２が測定管２内面の最下部よりも高い位置に設けられている場合には、抵抗Ｒｘの抵抗値が下がり、電流ループＬ１，Ｌ２の導電性流体Ｘの抵抗値は、（４Ｒ＋２Ｒｘ）または（６Ｒ＋２Ｒｘ）とみなせる。
【００１６】
次に、図５〜７を用いて、測定管２の水位が５０％（つまり、１／２ｈ）である場合に第１電極対Ｅ１および第２電極対Ｅ２の電圧を測定する原理について説明する。測定管２の水位が１／２ｈである際に流速Ｖで導電性流体Ｘが磁界Ｍを通過すると誘導起電圧Ｅが発生して、測定管２内には、図５に示すように、第１電極対Ｅ１を通過する電流ループＬ１および第２電極対Ｅ２を通過する電流ループＬ２が発生する。上述したように、電流ループＬ１，Ｌ２の導電性流体Ｘの抵抗値は電流ループＬ１，Ｌ２の長さに比例するため、満水時の水位ｈの１／２の長さにかかる導電性流体Ｘの抵抗値をＲとした場合、電流ループＬ１の導電性流体Ｘの抵抗値は４Ｒとみなせ（図６参照）、電流ループＬ２の導電性流体Ｘの抵抗値は６Ｒとみなせる（図７参照）。そして、第１測定回路１２は、誘導起電圧Ｅが電流ループＬ１に発生した場合の第１電極対Ｅ１の電圧（つまり、基準電極ｅ０と測定用電極ｅ１との間の電圧）として、１／４Ｅを測定する。一方、第２測定回路１３は、誘導起電圧Ｅが電流ループＬ２に発生した場合の第２電極対Ｅ２の電圧（つまり、基準電極ｅ０と測定用電極ｅ２との間の電圧）として、１／３Ｅを測定する。よって、測定管２の水位が１／２ｈである際の第１電極対Ｅ１の電圧（１／４Ｅ）と第２電極対Ｅ２の電圧（１／３Ｅ）との電圧比Ｅ１／Ｅ２は、３／４となる。本実施形態では、基準電極ｅ０および測定用電極ｅ１，ｅ２が測定管２内面の最下部に設けられているため、電流ループＬ１，Ｌ２の導電性流体Ｘの抵抗Ｒｘの抵抗値を抵抗値Ｒとし、電流ループＬ１，Ｌ２の導電性流体Ｘの抵抗値を４Ｒまたは６Ｒとみなしているが、基準電極ｅ０および測定用電極ｅ１，ｅ２が測定管２内面の最下部よりも高い位置に設けられている場合には、抵抗Ｒｘの抵抗値が下がり、電流ループＬ１，Ｌ２の導電性流体Ｘの抵抗値は、（２Ｒ＋２Ｒｘ）または（４Ｒ＋２Ｒｘ）とみなせる。
【００１７】
このように、第１電極対Ｅ１に印加される電圧と第２電極対Ｅ２に印加される電圧の電圧比Ｅ１／Ｅ２は、測定管２の水位によって変化することが分かる。よって、第１電極対Ｅ１に印加される電圧と第２電極対Ｅ２に印加される電圧の電圧比Ｅ１／Ｅ２を用いることにより、測定管２が満水でない場合における測定管２を流れる導電性流体Ｘの流量の算出精度を向上させることができる。
【００１８】
図１に戻り、記憶部１６は、基準電極ｅ０と測定用電極ｅ１との間に印加される電圧と基準電極ｅ０と測定用電極ｅ２との間に印加される電圧との電圧比Ｅ１／Ｅ２と、導電性流体Ｘの水位とを対応付けて記憶する水位ルックアップテーブルＴ１を有する。図８は、第１の実施形態にかかる電磁流量計が有する水位ルックアップテーブルの一例を示す図である。本実施形態では、水位ルックアップテーブルＴ１は、図８に示すように、測定管２の満水時における水位を１００％とした場合における、水位と電圧比Ｅ１／Ｅ２とを対応付けて記憶する。本実施形態では、記憶部１６は、水位と電圧比Ｅ１／Ｅ２とを対応付けて記憶しているが、導電性流体Ｘの断面積の測定管２内において占める断面積と電圧比とを対応付けて記憶しても良い。
【００１９】
流量演算回路１４は、第１測定回路１２により測定された電圧と第２測定回路１３により測定された電圧との電圧比および各測定用電極ｅ１，ｅ２について測定された電圧に基づく導電性流体Ｘの流速Ｖを用いて、測定管２を流れる導電性流体Ｘの流量を算出する算出部である。本実施形態では、流量算出回路１４は、第１測定回路１２により測定された電圧と第２測定回路１３により測定された電圧比Ｅ１／Ｅ２を算出する。次いで、流量算出回路１４は、第１測定回路１２または第２測定回路１３により測定された電圧に基づく導電性流体Ｘの流速Ｖを求める。具体的には、流量算出回路１４は、第１測定回路１２または第２測定回路１３により測定される電圧は、測定管２を流れる導電性流体Ｘの流速Ｖに比例する。そこで、流量算出回路１４は、流速Ｖにより電極間（基準電極ｅ０と測定用電極ｅ１，ｅ２との間）に発生する電圧に比例係数を用いて、測定された電圧を流速Ｖに変換する。次いで、流量算出回路１４は、記憶部１６に記憶された水位ルックアップテーブルＴ１から、算出した電圧比Ｅ１／Ｅ２と対応付けて記憶された水位を読み出し、読み出した水位および流速Ｖを用いて、測定管２を流れる導電性流体Ｘの流量を算出する。より具体的には、流量算出回路１４は、まず、下記の式１を用いて、測定管２の水位が読み出した水位である場合において、導電性流体Ｘの断面積の測定管２において占める断面積を算出する。そして、流量算出部１４は、算出した断面積に対して、導電性流体Ｘの流速Ｖを乗算することにより、導電性流体Ｘの流量を算出する。記憶部１６が電圧比Ｅ１／Ｅ２と断面積とを対応付けて記憶している場合には、流量算出回路１４は、各測定用電極ｅ１，ｅ２について測定された電圧の電圧比Ｅ１／Ｅ２と対応付けて記憶された断面積と、流速Ｖとを用いて、導電性流体Ｘの流量を算出する。
【００２０】
ここで、図９を用いて、測定管２を流れる導電性流体Ｘが占める断面積を算出する方法の一例について説明する。図９は、第１の実施形態にかかる電磁流量計において測定管を流れる導電性流体が占める断面積を算出する方法を説明するための図である。
【００２１】
図９に示すように、測定管２の内径をｈ、水位をＨとした場合、測定管２を流れる導電性流体Ｘが示す断面積Ａは、式１により算出することができる。
【数１】
2014009957.tif 000003
【００２２】
このように、第１の実施形態の電磁流量計１によれば、水平方向に延在し導電性流体Ｘが流れる測定管２を挟み対向して設けられる一対の励磁コイル１１と、励磁コイル１１により発生する磁界Ｍ内かつ測定管２内面の下方に設けられる基準電極ｅ０と、基準電極ｅ０との間隔が夫々異なり、磁界Ｍ外かつ測定管２内面の下方に設けられる複数の測定用電極ｅ１、ｅ２と、を備え、各測定用電極ｅ１，ｅ２について磁界Ｍにより基準電極ｅ０との間に印加される電圧を測定し、各測定用電極ｅ１，ｅ２について測定した電圧の電圧比および各測定用電極ｅ１，ｅ２について測定された電圧に基づく導電性流体Ｘの流速Ｖを用いて、測定管２を流れる導電性流体Ｘの流量を算出することにより、導電性流体Ｘの水位に応じた流量を算出することができるので、測定管２内の導電性流体Ｘが非満水の状態であっても正確に流量を算出することができる。
【００２３】
（第２の実施形態）
本実施形態は、３以上の測定用電極について測定した基準電極との間に印加される複数の電圧のうち組み合わせが異なる電圧の電圧比から測定管内における導電性流体の水位を求め、求めた複数の水位の平均を用いて流量を算出する例である。以下の説明では、第１の実施形態にかかる電磁流量計と異なる箇所について説明し、第１の実施形態にかかる電磁流量計と同様の箇所については説明を省略する。
【００２４】
図１０は、第２の実施形態にかかる電磁流量計の概略構成を示す図である。図１０に示すように、本実施形態にかかる電磁流量計９０は、励磁コイル１１、基準電極ｅ０、測定用電極ｅ１〜ｅ３、第１測定回路１２、第２測定回路１３、第３測定回路９１、流量演算回路９２、励磁回路１５、および記憶部９３を備えている。
【００２５】
測定用電極ｅ１〜ｅ３は、基準電極ｅ０との間隔が夫々異なり、磁界Ｍ外かつ測定管２内面の下方に設けられる複数の電極である。本実施形態では、測定用電極ｅ３は、測定管２内面において磁界Ｍ中の磁束が通過しない位置の直下（測定管２において磁界Ｍの磁束が通過しない最下部）に、導電性流体Ｘに接触した状態で設けられる。具体的には、測定用電極ｅ３は、基準電極ｅ０から２ｈ離れた位置に設けられる。本実施形態では、測定用電極ｅ３は、測定管２内面において磁界Ｍ中の磁束が通過しない位置の直下に設けられるが、磁界Ｍ外かつ測定管２内面において導電性流体Ｘの水位より低い位置に設けられていれば良い。例えば、測定用電極ｅ３は、測定管２内面において磁界Ｍの磁束が通過しない最下部近傍に設けられても良い。なお、測定管２内において導電性流体Ｘの水位が下がり得る閾値が予め設定されている場合には、測定用電極ｅ３は、励磁コイル１１により発生する磁界Ｍ外かつ測定管２内面において導電性流体Ｘの水位が下がり得る閾値より低い位置に設けられていれば良い。
【００２６】
そして、本実施形態では、基準電極ｅ０と測定用電極ｅ３とを第３電極対Ｅ３とする。これにより、電極間の間隔が異なる電極対として、第１電極対Ｅ１と、第２電極対Ｅ２と、第３電極対Ｅ３とを設ける。
【００２７】
第３測定回路９１は、第３電極対Ｅ３を構成する基準電極ｅ０と測定用電極ｅ３との間に印加される電圧を測定する。つまり、本実施形態では、第１測定回路１２、第２測定回路１３、および第３測定回路９１が、各測定用電極ｅ１〜ｅ３について磁界Ｍにより基準電極ｅ０との間に印加される電圧を測定する測定部として機能する。
【００２８】
記憶部９３は、図８に示す水位ルックアップテーブルＴ１に加えて、基準電極ｅ０と測定用電極ｅ１との間に印加される電圧と基準電極ｅ０と測定用電極ｅ３との間に印加される電圧との電圧比Ｅ１／Ｅ３と、導電性流体Ｘの水位とを対応付けて記憶する水位ルックアップテーブルＴ２を有する。図１１は、第２の実施形態にかかる電磁流量計が有する水位ルックアップテーブルの一例を示す図である。本実施形態では、水位ルックアップテーブルＴ２は、図１１に示すように、測定管２の満水時における水位を１００％とした場合における、水位と電圧比Ｅ１／Ｅ３とを対応付けて記憶する。
【００２９】
流量演算回路９２は、水位ルックアップテーブルＴ１において第１測定回路１２により測定された電圧と第２測定回路１３により測定された電圧との電圧比に対応付けて記憶された水位と、水位ルックアップテーブルＴ２において第１測定回路１２により測定された電圧と第３測定回路９１により測定された電圧との電圧比に対応付けて記憶された水位との平均を用いて、測定管２を流れる導電性流体Ｘの流量を算出する。つまり、流量演算回路９２は、第１測定回路１２、第２測定回路１３、および第３測定回路９１により測定された複数の電圧のうち組み合わせが異なる電圧の電圧比から測定管２内における導電性流体Ｘの水位を求め、求めた複数の水位の平均を用いて流量を算出する。
【００３０】
このように、第２の実施形態の電磁流量計９０によれば、第１測定回路１２、第２測定回路１３、および第３測定回路９１により測定された複数の電圧のうち組み合わせが異なる電圧の電圧比から測定管２内における導電性流体Ｘの水位を求め、求めた複数の水位の平均を用いて流量を算出することにより、電圧比に基づく水位の誤差を低減することができるので、測定管２を流れる導電性流体Ｘの流量の算出精度を向上させることができる。
【００３１】
以上説明したとおり、第１，２の実施形態によれば、測定管２内の導電性流体Ｘが非満水の状態であっても正確に流量を算出することができる。
【００３２】
なお、本実施形態の電磁流量計で実行されるプログラムは、ＲＯＭ（Read  Only  Memory）等に予め組み込まれて提供される。また、本実施形態の電磁流量計で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００３３】
さらに、本実施形態の電磁流量計で実行されるプログラムを、インターネット等のネットワークに接続されたコンピュータ上に格納し、ネットワーク経由でダウンロードさせることにより提供するように構成しても良い。また、本実施形態の電磁流量計で実行されるプログラムをインターネット等のネットワーク経由で提供または配布するように構成しても良い。
【００３４】
本実施形態の電磁流量計で実行されるプログラムは、上述した各部（第１測定回路１２、第２測定回路１３、第３測定回路９１、流量演算回路１４，９２）を含むモジュール構成となっており、実際のハードウェアとしてはＣＰＵ（Central  Processing  Unit）が上記ＲＯＭからプログラムを読み出して実行することにより上記各部が主記憶装置上にロードされ、第１測定回路１２、第２測定回路１３、第３測定回路９１、流量演算回路１４，９２が主記憶装置上に生成されるようになっている。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１，９０  電磁流量計
２  測定管
１１  励磁コイル
１２  第１測定回路
１３  第２測定回路
１４，９２  流量演算回路
１６，９３  記憶部
９１  第３測定回路
Ｍ  磁界
Ｘ  導電性流体
ｅ０  基準電極
ｅ１〜ｅ３  測定用電極
【図１】
2014009957.tif 000004
【図２】
2014009957.tif 000005
【図３】
2014009957.tif 000006
【図４】
2014009957.tif 000007
【図５】
2014009957.tif 000008
【図６】
2014009957.tif 000009
【図７】
2014009957.tif 000010
【図８】
2014009957.tif 000011
【図９】
2014009957.tif 000012
【図１０】
2014009957.tif 000013
【図１１】
2014009957.tif 000014